(57)【要約】【課題】ユーザの嗜好に応じた放送コンテンツをユーザに応じた再生率での放送コンテンツ再生を実現することで、総録画時間より短時間で効率よい放送コンテンツ視聴を可能にする。【解決手段】録画・再生システム１００は、入力部２００と、再生部３００と、受信部４００と、記憶部５００とを備える。受信部４００は、デジタル放送を受信し、受信した放送コンテンツを記憶部５００に記憶させる。入力部２００は、ユーザによって入力された視聴条件を再生部３００へ伝達する。再生部３００は、入力部２００より伝達された視聴条件に応じた放送コンテンツを、記憶部５００に蓄積されている再生率の制御を行いながら再生する。【選択図】図１
2010021773.tif 000002
【特許請求の範囲】
【請求項１】
受信した放送コンテンツを録画・再生するシステムであって、
前記放送コンテンツに対してユーザが入力する視聴条件を受け付ける入力部と、
前記入力部で受け付けた前記視聴条件を満たす前記放送コンテンツを、再生率の制御を行いながら再生する再生部と、
を有する、
ことを特徴とする放送コンテンツの録画・再生システム。
【請求項２】
前記放送コンテンツを受信する受信部と、
前記受信部で受信した前記放送コンテンツを格納する記憶部と、
をさらに備え、
前記再生部は、前記視聴条件を満たす前記放送コンテンツを前記記憶部から読み出して再生する、
ことを特徴とする請求項１に記載の録画・再生システム。
【請求項３】
前記再生部は、前記放送コンテンツの内容を分析したうえでその分析結果に基づいて再生率分布情報を生成し、生成した前記再生率分布情報に基づいて前記再生率の制御を行なう、
ことを特徴とする請求項１に記載の録画・再生システム。
【請求項４】
前記再生部は、前記放送コンテンツの内容を分析したうえでその分析結果に基づいて再生率分布情報を生成し、生成した前記再生率分布情報を前記記憶部に格納したうえで、前記再生率の制御を行う際には、前記記憶部から前記再生率分布情報を読み出し、読み出した前記再生率分布情報に基づいて前記再生率の制御を行う、
ことを特徴とする請求項２に記載の録画・再生システム。
【請求項５】
前記再生部は、前記放送コンテンツに予め添付されている再生率分布情報に基づいて前記再生率の制御を行う、
ことを特徴とする請求項１に記載の録画・再生システム。
【請求項６】
前記入力部が受け付ける前記視聴条件は、前記ユーザが視聴可能な時間量に関する条件を含む、
ことを特徴とする請求項１に記載の録画・再生システム。
【請求項７】
前記入力部が受け付ける前記視聴条件は、前記ユーザが視聴可能な時刻または時間帯に関する条件を含む、
ことを特徴とする請求項１に記載の録画・再生システム。
【請求項８】
前記再生部は、前記放送コンテンツにおける音データと映像データとのうちの少なくとも一つを分析したうえで、その分析結果に基づいて前記再生率分布情報を生成する、
ことを特徴とする請求項３に記載の録画・再生システム。
【請求項９】
前記再生部は、前記放送コンテンツにおける音データの音量レベルを分析したうえで、その分析結果に基づいて前記再生率分布情報を生成する、
ことを特徴とする請求項３に記載の録画・再生システム。
【請求項１０】
前記再生部は、前記放送コンテンツを全て解析したうえで、その解析結果に基づいて前記再生率分布情報を生成する、
ことを特徴とする請求項３に記載の録画・再生システム。
【請求項１１】
前記再生部は、前記放送コンテンツに付加されている当該放送コンテンツの内容を示す情報に基づいて前記再生率分布情報を生成する、
ことを特徴とする請求項３に記載の録画・再生システム。
【請求項１２】
前記再生部は、前記放送コンテンツをサンプリングしたうえで、そのサンプリング結果に基づいて前記再生率分布情報を生成する、
ことを特徴とする請求項３に記載の録画・再生システム。
【請求項１３】
前記再生部は、前記放送コンテンツを受信するタイミングで前記再生率分布情報を生成する、
ことを特徴とする請求項３に記載の録画・再生システム。
【請求項１４】
前記再生部は、前記放送コンテンツを再生するタイミングで前記再生率分布情報を生成する、
ことを特徴とする請求項１に記載の録画・再生システム。
【請求項１５】
前記再生部は、前記入力部が受け付ける前記視聴条件に含まれる再生率分布情報生成開始時間情報に基づいて、前記再生率分布情報を生成するタイミングを決定する、
ことを特徴とする請求項３に記載の録画・再生システム。
【請求項１６】
前記再生部は、オペレーティングシステム（ＯＳ）の制御下で動作しており、当該再生部は、前記オペレーティングシステム（ＯＳ）の状態に基づいて、前記再生率分布情報を生成するタイミングを決定する、
ことを特徴とする請求項３に記載の録画・再生システム。
【請求項１７】
前記再生部は、当該再生部のハードウェア（Ｈ／Ｗ）状態に基づいて、前記再生率分布情報を生成するタイミングを決定する、
ことを特徴とする請求項３に記載の録画・再生システム。
【請求項１８】
前記再生部は、前記放送コンテンツの再生率と音量分布とを含んだ前記再生率分布情報を生成する、
ことを特徴とする請求項３および請求項５に記載の録画・再生システム。
【請求項１９】
前記再生部は、再生率変換後の放送コンテンツの必要視聴時間情報を含んだ前記再生率分布情報を生成する、
ことを特徴とする請求項３および請求項５に記載の録画・再生システム。
【請求項２０】
前記再生部は、再生率変換後の放送コンテンツを含んだ前記再生率分布情報を生成する、
ことを特徴とする請求項３および請求項５に記載の録画・再生システム。
【請求項２１】
前記再生部は、前記放送コンテンツの再生履歴情報に基づいて、視聴可能放送コンテンツリストを生成する、
ことを特徴とする請求項３および請求項５に記載の録画・再生システム。
【請求項２２】
前記再生部は、前記視聴条件に基づいて、視聴可能放送コンテンツリストを生成する、
ことを特徴とする請求項３および請求項５に記載の録画・再生システム。
【請求項２３】
前記再生部は、前記放送コンテンツに付加されている当該放送コンテンツの内容を示す情報に基づいて、視聴可能放送コンテンツリストを生成する、
ことを特徴とする請求項３および請求項５に記載の録画・再生システム。
【請求項２４】
前記再生部は、前記放送コンテンツに含まれる放送コンテンツ情報、必要視聴時間、再生率、およびファイルへのポインタを含んで前記視聴可能放送コンテンツリストを生成する、
ことを特徴とする請求項２１から請求項２３のいずれかに記載の録画・再生システム。
【請求項２５】
前記再生部は、前記再生率分布情報に基づいて再生率変換後の前記放送コンテンツを再生する、
ことを特徴とする請求項３および請求項５に記載の録画・再生システム。
【請求項２６】
前記再生部は、前記再生率分布情報に基づいて再生率を調整しながら前記放送コンテンツを再生する、
ことを特徴とする請求項３および請求項５に記載の録画・再生システム。
【発明の詳細な説明】
【技術分野】
【０００１】
本発明は、総録画時間より短時間で効率よく、また、放送コンテンツの内容の一貫性を保持した状態で放送コンテンツの視聴を可能とする録画・再生システムに関するものである。
【背景技術】
【０００２】
近年、従来の地上波テレビジョン放送に加えてＢＳ／ＣＳ放送が普及している。このようなテレビジョン放送のデジタル化により多チャンネル時代を迎えている。多チャンネル化に伴い、放送コンテンツも多様化しており、放送される番組、視聴したい番組が飛躍的に増加している。
【０００３】
一方、従来のＶＴＲ（ビデオテープレコーダ）に代わってＨＤＤ（ハードディスクドライブ）に代表される数百ＧＢあるいはそれ以上の容量をもつ大容量の記録媒体が比較的安価に入手することが可能となり、放送コンテンツの録画・視聴機能を備えたＰＣ（パーソナルコンピュータ）や、大容量のＨＤＤを備えた録画機などが登場してきている。これにより、従来のような記憶媒体の容量制限が緩和され、ユーザは視聴したい番組を記憶媒体の残容量を気にすることなく録画することが可能となった。
【０００４】
しかしながら、この記憶媒体の大容量化に伴い、ユーザが大量の放送コンテンツを録画してしまって、録画した放送コンテンツをユーザが管理することが困難になっている。このような不都合を解決するために、放送コンテンツ視聴を支援するシステムが提案されている。
【０００５】
例えば、特許文献１に示されるデジタル放送受信装置は、再生予約された録画番組を番組本来の時間単位とは無関係に再編・配置し、ユーザの好みに合わせたスケジュールで分割して視聴することでより良好な視聴支援効果を得ることを実現するように構成されている。
【０００６】
図１７は、特許文献１に記載された従来のデジタル放送受信装置の構成を示すものである。図１７において、デジタル放送受信装置１００は、チューナ１０２によってデジタル放送信号を受信することが可能であり、さらには、録画管理部１１２により番組を各番組単位で記録装置１１３に録画することが可能になっている。このデジタル放送受信装置１００は、記録装置１１３に録画された番組の再生予約と視聴条件とを入力指示可能な入力部１０３と、再生予約された番組の番組信号を視聴条件に基づく視聴条件用時間単位に再編する番組再編部１１１と、再編された視聴条件用時間単位の番組信号を再生する日時を視聴条件に基づき設定する番組再配置部１１０とを備える。
【特許文献１】特開２００６−１４８４９１号公報
【発明の開示】
【発明が解決しようとする課題】
【０００７】
しかしながら、従来の放送コンテンツ視聴を支援するシステムにおいてはいくつかの問題がある。以下、説明する。従来のシステムでは、再生予約された録画番組を番組本来の時間単位とは無関係に再編・配置し、ユーザの好みに合わせたスケジュールで分割して視聴することは可能だが、放送コンテンツを分割して視聴しても、ユーザが放送コンテンツを全て視聴するため必要な総時間は変わらない。そのため、ユーザに録画番組の総時間以上の空時間が無ければ、未視聴の録画番組が記録媒体に蓄積されてしまう。
【０００８】
また、放送コンテンツを単純に回数・時間で分割してしまうため、放送コンテンツの中途半端な場面から視聴開始・視聴終了しなければならなくなり、番組の内容の一貫性を保持しにくく、内容を把握するために前回視聴分を再度再生するなどの手間が発生する可能性がある。
【０００９】
本発明は、前記従来の課題を解決するもので、ユーザに応じた放送コンテンツをユーザに応じた再生率での放送コンテンツ再生を実現することで、総録画時間より短時間で効率よく、また、放送コンテンツの内容の一貫性を保持した状態での放送コンテンツ視聴を可能とすることを目的とする。
【課題を解決するための手段】
【００１０】
前記従来の課題を解決するために、本発明に係る録画・再生システムは、
受信した放送コンテンツを録画・再生するシステムであって、
前記放送コンテンツに対してユーザが入力する視聴条件を受け付ける入力部と、
前記入力部で受け付けた前記視聴条件を満たす前記放送コンテンツを、再生率の制御を行いながら再生する再生部と、
を有する。
【発明の効果】
【００１１】
本発明の録画・再生システムによれば、ユーザの嗜好に応じた放送コンテンツをユーザに応じた再生率での再生を実現することで、総録画時間より短時間で効率よく放送コンテンツを視聴することが可能になる。
【００１２】
また、従来のように分割せず連続視聴することが可能になるため、放送コンテンツの内容の一貫性を保持した状態での放送コンテンツ視聴が可能となる。
【発明を実施するための最良の形態】
【００１３】
（実施の形態１）
図１は、本発明の放送コンテンツ録画・再生システムに係る機能的な構成を示す図である。録画・再生システム１００は、入力部２００と、再生部３００と、受信部４００と、記憶部５００とを備えている。受信部４００は、デジタル放送を受信し、受信したデジタル放送に含まれる放送コンテンツを記憶部５００に伝達する。記憶部５００は、受信部４００から伝達された放送コンテンツを記憶する。入力部２００は、ユーザによって入力される視聴条件を再生部３００に伝達する。再生部３００は、入力部２００より伝達された視聴条件に応じて放送コンテンツの再生率の制御を行いながら、記憶部５００に蓄積されている放送コンテンツを再生する（以上の構成は本発明の請求項１に対応する）。
【００１４】
入力部２００は、図２に示すように、ユーザにより入力される視聴条件２１０を受け付けて制御する部分であり、入力された視聴条件２１０を再生部３００に伝達する。視聴条件２１０とは、ユーザが放送コンテンツを視聴可能である条件、または、放送コンテンツを視聴したい条件であり、３０分間,１時間などのユーザが視聴可能な時間量に関する条件を含んでも良いし、９時,２０時などのユーザが視聴可能な時刻であっても良いし、９時から１２時、２０時から２時間などのユーザが視聴可能な時間帯に関する条件を含んでも良い（以上の構成は本発明の請求項６、７に対応する）。
【００１５】
再生部３００は、図３に示すように、入力部２００より伝達される視聴条件２１０に応じて放送コンテンツを記憶部５００から読み出したうえで、読み出した放送コンテンツを再生率の制御を行いながら再生する。ここで、再生率（Ｐ）とは、放送コンテンツの再生速度を表し、通常再生をＰ＝１とし、Ｐ＞１であれば通常再生よりも速い速度で再生し、Ｐ＜１であれば通常再生よりも遅い速度で再生することを表す。例えばＰ＝１．２の場合、通常再生と比べて１．２倍速で再生することを表す。
【００１６】
再生部３００は、図４に示すように、予めユーザによって入力部２００に入力される再生率分布情報生成開始時間情報２１１に基づいて再生率分布情報を生成する時間を設定してもよい（以上の構成は本発明の請求項１５に対応する）。また、再生部３００は、図５に示すように、ユーザが視聴可能な放送コンテンツを示す視聴可能放送コンテンツリスト３１０を生成する（以上の構成は本発明の請求項２１に対応する）。
【００１７】
図６は、本発明の放送コンテンツ録画・再生システムに係る処理の流れを示すフローチャートである。本システムは、デジタル放送を受信し、受信したデジタル放送に含まれる放送コンテンツを記憶部５００へ記憶する受信ステップ（Ｓ１０００）と、ユーザによって入力部２００に入力された視聴条件を入力部２００が再生部３００へ伝達したうえで、再生部３００が、記憶部５００に蓄積されている放送コンテンツを再生する際における再生率を制御する解析ステップ（Ｓ２０００）と、再生部３００が、視聴条件に応じた放送コンテンツを再生する再生ステップ（Ｓ３０００）とを含む。
【００１８】
図７は、受信ステップの処理の流れを示すフローチャートである。まず、受信ステップ（Ｓ１０００）において、受信部４００は、録画予約されている放送コンテンツを受信する（Ｓ１１００）と、受信した放送コンテンツを記憶部５００に伝達して録画させる（Ｓ１２００）。
【００１９】
図８は、解析ステップの処理フローの詳細を示すフローチャートである。解析ステップ（Ｓ２０００）は、ユーザによって入力部２００に入力された視聴条件を処理して（Ｓ２１００）、再生率分布情報を生成し（Ｓ２２００）、生成した再生率分布情報に基づいて視聴可能放送コンテンツリストを生成する（Ｓ２３００）。
【００２０】
図９は、視聴条件処理の処理フローを示すフローチャートである。入力部２００に、ユーザによって視聴可能時間帯などの視聴条件が入力されると（Ｓ２１１０）、入力部２００は、入力された視聴条件を再生部３００に伝達する（Ｓ２１００）。なお、視聴条件とは、ユーザが放送コンテンツを視聴可能である条件、または、放送コンテンツを視聴したい条件であり、３０分間,１時間などの視聴可能な時間量に関する条件を含んでも良いし、９時,２０時などの視聴可能な時刻条件を含んでも良いし、９時から１２時、２０時から２時間などの視聴可能な時間帯に関する条件を含んでも良い。
【００２１】
図１０は、再生率分布情報生成処理フローを示すフローチャートである。受信部４００で受信した放送コンテンツが記憶部５００に録画されると（Ｓ２２１０でYes）、再生部３００は、放送コンテンツのファイルを全て解析し（Ｓ２２２０）、放送コンテンツに付加されている各種情報を取得する（Ｓ２２３０）。再生部３００は、取得した情報を分析して再生率を算出し、再生率分布情報を生成する（Ｓ２２４０）。
【００２２】
例えば、図３に示すように、映像情報５１２に字幕が含まれる場合、放送コンテンツの再生速度を速めても視聴者は放送コンテンツの内容を理解出来る。放送コンテンツの通常再生時間（ＮＴ）＝１２０（分）、字幕含有率（Ｓ）＝７０（％）、字幕が含まれる部分の再生率（Ｐ）＝１．５とした場合、再生率変換後の必要視聴時間（ＣＴ）は、
必要視聴時間（ＣＴ）＝（１２０×０．７）／１．５＋１２０×（１−０．７）
＝ ５６＋ ３６＝９２（分）
となり、９２分で放送コンテンツ視聴が可能となる。このとき、放送コンテンツを視聴するのに必要な時間は１２０−９２＝２８（分）短縮することが出来たことになる（以上の構成は本発明の請求項３、８、１０に対応する）。
【００２３】
なお、ここでは字幕が含まれる部分の再生率（Ｐ）＝１．５としたが、再生部３００は、録画・再生システムを利用する各ユーザの放送コンテンツ視聴履歴を管理して、ユーザ毎に最適な再生率を算出して設定しても良い。
【００２４】
また、再生部３００は、放送コンテンツのサンプリング情報から再生率分布情報５１３を取得することも出来る。例えば、オペレーティングシステム（ＯＳ）を用いて周期的な割込み発生させ、その割込みの中で放送コンテンツに付加されている情報のサンプリングを行う。そして、サンプリングした情報から放送コンテンツ５１０の音量レベルの分布を分析する。音量が少ない部分は再生速度を速めても内容を聞き取れるため、再生部３００は、再生率を上げて再生することで必要視聴時間を短縮することが出来る（以上の構成は本発明の請求項９、１２に対応する）。
【００２５】
また、再生部３００は、放送コンテンツに付加されている当該放送コンテンツに関する情報を取得したうえで、放送コンテンツ解析を行うことなく、この情報に基づいて再生率分布情報５１３を生成することも出来る。例えば、受信した放送コンテンツを放送した放送チャンネルが、教養番組など滑舌の良い放送コンテンツを放送する放送チャンネルである場合、その放送コンテンツの再生率を上げることが出来る。なお、放送コンテンツの内容を判定する情報として、ＢＭＬ（Broadcast Markup Language）を利用しても良い（以上の構成は本発明の請求項１１に対応する）。
【００２６】
再生率分布情報５１３を生成するタイミングは、ユーザによってカスタマイズすることも可能である。図４に示すように、予めユーザは入力部２００に再生率分布情報生成開始時間情報２１１を入力し、再生率分布情報を生成する時間を設定しておくことで、ユーザに適したタイミングで再生率分布情報を生成することが出来る。例えば、ユーザが９時から外出して録画・再生システムを使用しない場合、再生率分布情報生成開始時間情報として９時を設定しておく。ユーザが帰宅した時には既に再生率分布情報の分析が完了しており、視聴条件２１０を入力すればすぐに条件に合った放送コンテンツの視聴を開始することが出来る（以上の構成は本発明の請求項１５に対応する）。
【００２７】
また、再生率分布情報５１３を生成するタイミングを、ユーザが設定することを不要に出来る。すなわち、再生率分布情報５１３を生成するタイミングを受信部４００にて放送コンテンツを受信する時や、再生部３００が放送コンテンツを再生する時とすれば、ユーザは再生率分布情報５１３を生成するタイミングを意識する必要がなくなる（以上の構成は本発明の請求項１３、１４に対応する）。
【００２８】
また、再生率分布情報５１３を生成するタイミングは、再生部３００を含むこの録画・再生システム１００を制御しているオペレーティングシステム（ＯＳ）の状態により決定することも出来る。例えば、ＯＳが保持しているＣＰＵ占有率情報を参照し、ＣＰＵ占有率が低い場合に再生率分布情報５１３を生成することで、ＣＰＵ負荷増加を抑制することも出来る（以上の構成は本発明の請求項１６に対応する）。
【００２９】
また、再生率分布情報５１３を生成するタイミングは、録画・再生システム１００のハードウェア（Ｈ／Ｗ）状態（再生部３００を含むこの録画・再生システム１００が動作するＣＰＵの動作状態など）により決定することも出来る。例えば、発振器の発振やクロックジェネレータの発振が停止されたり、ＣＰＵや周辺回路に供給するクロックが停止されたりすることで低消費電力を実現しているＣＰＵによって録画・再生システム１００が動作している場合、低消費電力モードに遷移したタイミングで再生率分布情報５１３を生成することで、ＣＰＵの負荷を分散させることが出来る（以上の構成は本発明の請求項１７に対応する）。また、再生率分布情報５１３を生成するタイミングを、深夜・早朝など電気代の安い時間帯にすることで、電気代を抑えることが出来る。
【００３０】
また、再生率分布情報５１３は、放送コンテンツの再生率や音量分布としても良い。例えば、放送コンテンツの時間情報とその時点での再生率をテーブルで管理することが出来る。図１１は、通常再生（再生率（Ｐ）＝１．０）時で視聴に６０分必要となる放送コンテンツＡの時間情報と再生率を管理したテーブルを示している。この場合、放送コンテンツＡの再生開始から（０分）〜５分目までは、再生率１．３で放送コンテンツＡを再生することができ、５〜８分目までは、再生率１．５で放送コンテンツＡを再生することが出来ることを表す。このように時間情報と再生率をテーブルで管理しておくことで、再生率変換後の放送コンテンツＡにファイルを生成する必要がなくなり、記録媒体の容量の増加を防止することが出来る（以上の構成は本発明の請求項１８に対応する）。
【００３１】
また、再生率分布情報は、変換後の再生率で放送コンテンツを視聴した際に必要となる必要視聴時間としても良い。例えば、通常再生（再生率（Ｐ）＝１．０）時で視聴に６０分必要となる放送コンテンツが、変換後の再生率を用いて放送コンテンツ再生を行なうと、視聴に必要となる時間が４５分となる場合、再生率分布情報は４５（分）となる（以上の構成は本発明の請求項１９に対応する）。
【００３２】
また、再生率分布情報は、放送コンテンツ情報の分析などによって得られた再生率の分布に基づいて、放送コンテンツの再生率を変換した再生率変換後の放送コンテンツのファイルとしても良い。再生率変換後の放送コンテンツのファイルを作成することにより、再生時における再生部３００の処理の負荷を軽減することが出来る（以上の構成は本発明の請求項２０に対応する）。
【００３３】
なお、放送コンテンツの再生率の制御は、再生率分布情報が予め付加された放送コンテンツを放送可能なインフラストラクチャが将来的に整備された場合、録画・再生システム側で放送コンテンツ分析処理は必要なくなり、放送コンテンツに添付されている再生率分布情報に基づいて再生率を制御することも出来る（以上の構成は本発明の請求項５に対応する）。
【００３４】
図１２は、視聴可能放送コンテンツリスト生成処理フローを示すフローチャートである。再生部３００は、入力部２００から伝達された視聴条件に応じて、ユーザが視聴可能な放送コンテンツを記憶部５００で検索することで視聴条件を満たす放送コンテンツのリストを視聴可能放送コンテンツリストとして生成することが出来る。
【００３５】
例えば、ユーザ自身の空き時間（視聴可能時間長）を表わす１．５時間を視聴条件として入力し、また、既に記憶部５００に録画されている８個の放送コンテンツ（放送コンテンツ１〜放送コンテンツ８）の再生率分布情報が図１３に示すように生成されているとする。このとき、再生部３００は各放送コンテンツの再生率分布情報から放送コンテンツ毎の必要視聴時間を算出し（Ｓ２３１０）、視聴ユーザの視聴条件である１．５時間以内で視聴可能である（Ｓ２３２０でYes）と、該当放送コンテンツを視聴可能放送コンテンツリストに追加する（Ｓ２３３０）。これにより、図１４に示すような視聴可能放送コンテンツリストを生成することが出来る。このとき、視聴可能放送コンテンツリストは、図１５のように複数の放送コンテンツの組合せを含んでも良いし、視聴時間の短い順にソートしても良い（以上の構成は本発明の請求項２２に対応する）。
【００３６】
また、視聴可能放送コンテンツリスト３１０は、放送コンテンツの再生履歴情報により生成することも出来る。例えば、ユーザによって録画・再生された放送コンテンツの種類、時間帯、再生率、放送コンテンツ視聴状況などを再生部３００がユーザ履歴情報として管理したうえで、再生部３００がユーザの趣味・嗜好、視聴傾向を推測して放送コンテンツを抽出することで、ユーザが放送コンテンツの種類などの細かな視聴条件を入力する手間を省くことが出来る（以上の構成は本発明の請求項２１に対応する）。
【００３７】
また、視聴可能放送コンテンツリスト３１０は、放送コンテンツ情報の分析により生成することも出来る。例えば、記憶部５００に記憶されている各放送コンテンツの放送コンテンツ情報を分析し、放送コンテンツの放送日時や録画日時情報の古いものから順番に視聴可能放送コンテンツリスト３１０として生成することで、放送コンテンツの内容把握に視聴順序が関係するような放送コンテンツについても、ユーザが正しい視聴順序（例えば、録画日時の古いものから順次視聴する順序）で放送コンテンツ視聴出来るように支援することも出来る（以上の構成は本発明の請求項２３に対応する）。
【００３８】
なお、視聴可能放送コンテンツリストには、録画放送コンテンツに含まれる放送コンテンツ情報、必要視聴時間、再生率、およびファイルへのポインタが含まれる。ここで、ファイルへのポインタは、放送コンテンツのファイルそのものへのポインタとしても良いし、放送コンテンツのファイルを最適な再生率で変換した変換後の放送コンテンツのファイルへのポインタとしても良い（以上の構成は本発明の請求項２４に対応する）。
【００３９】
視聴可能放送コンテンツリスト３１０を生成するタイミングは次のように設定される。すなわち、受信部４００にて放送コンテンツを受信する時や、再生部３００が放送コンテンツを再生する時を上記タイミングとしても良い。また、ユーザが入力部２００に視聴条件２１０を入力した時や、放送コンテンツの再生率分析直後を、上記タイミングとしても良い。以上のようにして上記タイミングを設定すれば、ユーザが意識することなく自動的にタイミング設定を行うことが出来る。なお、視聴可能放送コンテンツリスト３１０は、放送コンテンツの名称順としても良いし、ユーザの趣味・嗜好別にソートしても良いし、時間別にソートしても良いし、放送コンテンツの種別でソートしても良い。
【００４０】
図１６は、再生ステップの処理フローを示すフローチャートである。再生部３００は、再生率分布情報により再生率を調整して放送コンテンツを再生することが出来る。そうすれば、再生率変換後の放送コンテンツのファイルを生成する必要がなくなり、記録媒体の容量の増加を抑制することが出来る。例えば、再生部３００は、ユーザが視聴可能放送コンテンツリスト３１０の中から視聴したい放送コンテンツの組合せを選択すると（Ｓ３１００）、記憶部５００に記憶されている放送コンテンツの中から、該当する放送コンテンツの再生率分布情報を参照したうえで（Ｓ３２００）、その参照結果に基づいて再生率を調整しながら上記該当する放送コンテンツを再生する（Ｓ３３００）。これによって、ユーザは視聴条件に応じた放送コンテンツを視聴することが出来る（以上の構成は本発明の請求項２６に対応する）。
【００４１】
なお、ここでは視聴可能放送コンテンツリスト３１０を生成し、ユーザが視聴したい放送コンテンツの組合せを視聴可能放送コンテンツリスト３１０から選択するとしたが、ユーザの視聴履歴などの履歴情報から録画・再生システム側が最適と判断した放送コンテンツの組合せを自動で再生することで、ユーザが放送コンテンツの組合せを選択する手間を省くことが出来る。
【００４２】
また、再生部３００は、再生率分布情報によって再生率を変換した後の放送コンテンツを再生することも出来る。予め最適な再生率で変換した放送コンテンツのファイルを生成し、記憶部５００に記憶しておくことで、再生時における再生部３００の処理の負荷を軽減することが出来る（以上の構成は本発明の請求項２５に対応する）。
【００４３】
なお、再生率変換後の放送コンテンツは、携帯電話をはじめとする各種携帯端末で再生することも出来る。例えば、自宅の録画・再生システムにて録画や再生率の変換を行い、再生率変換後の放送コンテンツのファイルを携帯電話に移動し、通勤・通学途中の電車内でそのファイルを視聴するなど、ユーザのライフスタイルに応じて再生機器を変えることも出来る。
【００４４】
上記のように本実施の形態によれば、ユーザに応じた放送コンテンツをユーザの要望に応じた再生率で再生することを実現することで、総録画時間より短時間で効率よく放送コンテンツを視聴することが可能となる。また、放送コンテンツを従来のように分割せず連続視聴することが可能になり、内容の一貫性を保持した状態での放送コンテンツ視聴が可能となる。
【産業上の利用可能性】
【００４５】
本発明に係る録画・再生システムは、ユーザに応じた放送コンテンツをユーザに応じた再生率での放送コンテンツ再生を実現することで、総録画時間より短時間で効率よく放送コンテンツを視聴することが可能になり、放送コンテンツの録画・再生システムとして有用である。
【図面の簡単な説明】
【００４６】
【図１】本発明の録画・再生システムの機能構成を示すブロック図
【図２】本発明における実施の形態１の構成を示す図
【図３】本発明における実施の形態１の構成を示す図
【図４】本発明における実施の形態１の構成を示す図
【図５】本発明における実施の形態１の構成を示す図
【図６】本発明の録画・再生システムの処理フロー図
【図７】本発明における実施の形態１の受信ステップの処理フロー図
【図８】本発明における実施の形態１の解析ステップの処理フロー図
【図９】本発明における実施の形態１の視聴条件処理の処理フロー図
【図１０】本発明における実施の形態１の再生率分布情報生成処理の処理フロー図
【図１１】本発明における実施の形態１の放送コンテンツＡの時間情報と再生率を管理したテーブル例
【図１２】本発明における実施の形態１の視聴可能放送コンテンツリスト生成処理の処理フロー図
【図１３】本発明における実施の形態１の再生率分布情報例
【図１４】本発明における実施の形態１の視聴可能放送コンテンツリスト例
【図１５】本発明における実施の形態１の視聴可能放送コンテンツリスト例
【図１６】本発明における実施の形態１の再生ステップの処理フロー図
【図１７】従来のデジタル放送受信装置の構成を示す図
【符号の説明】
【００４７】
１００  録画・再生システム
２００  入力部
２１０  視聴条件
２１１  再生率分布情報生成開始時間情報
３００  再生部
３１０  視聴可能放送コンテンツリスト
４００  受信部
５００  記憶部
５１０  放送コンテンツ
５１１  音情報
５１２  映像情報
５１３  再生率分布情報
【図１】
2010021773.tif 000003
【図２】
2010021773.tif 000004
【図３】
2010021773.tif 000005
【図４】
2010021773.tif 000006
【図５】
2010021773.tif 000007
【図６】
2010021773.tif 000008
【図７】
2010021773.tif 000009
【図８】
2010021773.tif 000010
【図９】
2010021773.tif 000011
【図１０】
2010021773.tif 000012
【図１１】
2010021773.tif 000013
【図１２】
2010021773.tif 000014
【図１３】
2010021773.tif 000015
【図１４】
2010021773.tif 000016
【図１５】
2010021773.tif 000017
【図１６】
2010021773.tif 000018
【図１７】
2010021773.tif 000019